(57)【要約】【課題】スクリュー等を取り外すための工具を用いずに反射部材及び導光体を筐体から取り外すことができる発光装置、画像読取装置、及び画像形成装置を得る。【解決手段】筐体の保持手段は、反射部材の収容位置で反射部材を保持すると共に反射部材を一方向に対して交差する交差方向に撓ませると反射部材の保持状態の解除を許容するようになっている。【選択図】図７
2019117973.tif 000002
【特許請求の範囲】
【請求項１】
一方向に延びた導光体と、
該導光体の端面に光を照射する発光素子と、
該一方向に延び、該導光体を保持すると共に、該導光体の表面から出射した光を反射する反射部材と、
該反射部材を収容する筐体であって、該反射部材の収容位置で該反射部材を保持すると共に該反射部材を該一方向に対して交差する交差方向に撓ませると該反射部材の保持状態の解除を許容する保持手段を有する前記筐体と、
を備える発光装置。
【請求項２】
前記保持手段は、
前記交差方向において前記反射部材の一側で、前記一方向に間隔を空けて複数配置されており、前記反射部材と接触して前記反射部材の前記交差方向の一側の移動を規制する規制部と、
前記交差方向において前記反射部材の他側に配置されており、前記反射部材を前記規制部に押し付ける押付部と、
前記交差方向において前記反射部材の他側で、前記一方向において前記規制部とずれた位置に配置されており、前記一方向及び前記交差方向に対して交差する他の交差方向で前記反射部材と接触して前記反射部材の前記他の交差方向の移動を規制する他の規制部と、を備え、
前記他の規制部と接している前記反射部材の部分が前記交差方向の一側に移動するように前記反射部材を撓ませ、前記反射部材の保持状態の解除を許容する請求項１に記載の発光装置。
【請求項３】
前記他の規制部には、前記反射部材に接触している接触面が形成されており、前記接触面は、前記一方向から見て、前記交差方向に沿って延びている請求項２に記載の発光装置。
【請求項４】
前記反射部材は、前記一方向に延びる底板と、前記底板の一方の縁部に連結されている一方の側板と、前記底板の他方の縁部に連結されている他方の側板とを有し、
一方の側板には、前記導光体を前記底板との間で挟んで、前記導光体を保持する突出部が一体的に形成されている請求項１〜３の何れか１項に記載の発光装置。
【請求項５】
前記突出部は、前記一方の側板の前記一方向の両端部に夫々一体的に形成されている請求項４に記載の発光装置。
【請求項６】
前記導光体の端面に光を照射し、画像が形成された対象物に向けて前記導光体の表面から光を出射させる発光素子を備える請求項１〜５の何れか１項に記載の発光装置と、
前記一方向に並べられた複数の受光素子と、
画像が形成された対象物から反射された光を前記受光素子に案内する案内部材と、
を備える画像読取装置。
【請求項７】
請求項６に記載の画像読取装置と、
前記画像読取装置で読み取られた画像情報に基づいて画像を形成する画像形成部と、
を備える画像形成装置。
【発明の詳細な説明】
【技術分野】
【０００１】
本発明は、発光装置、画像読取装置、及び画像形成装置に関する。
【背景技術】
【０００２】
特許文献１には、光源と、画像読み取り領域から反射してくる光を受光して光電変換する複数の受光素子を搭載し、かつ、これら複数の受光素子用の配線部を形成している回路基板と、この回路基板と光源とが組み付けられる筐体とを備えた画像読取装置が記載されている。
【先行技術文献】
【特許文献】
【０００３】
【特許文献１】特開平１１−３１３１９５号公報
【発明の概要】
【発明が解決しようとする課題】
【０００４】
市場から回収された画像読取装置を例えばリサイクルする場合に、経年劣化してしまう反射部材及び導光体を交換する必要がある。従来、作業者は、筐体にスクリューによって固定された反射部材及び導光体を、工具を用いて筐体から取り外していた。
【０００５】
本発明の課題は、スクリュー等を取り外すための工具を用いずに反射部材及び導光体を筐体から取り外すことである。
【課題を解決するための手段】
【０００６】
本発明の請求項１に係る発光装置は、一方向に延びた導光体と、該導光体の端面に光を照射する発光素子と、該一方向に延び、該導光体を保持すると共に、該導光体の表面から出射した光を反射する反射部材と、該反射部材を収容する筐体であって、該反射部材の収容位置で該反射部材を保持すると共に該反射部材を該一方向に対して交差する交差方向に撓ませると該反射部材の保持状態の解除を許容する保持手段を有する前記筐体と、を備えることを特徴とする。
【０００７】
本発明の請求項２に係る発光装置は、請求項１に記載の発光装置において、前記保持手段は、前記交差方向において前記反射部材の一側で、前記一方向に間隔を空けて複数配置されており、前記反射部材と接触して前記反射部材の前記交差方向の一側の移動を規制する規制部と、前記交差方向において前記反射部材の他側に配置されており、前記反射部材を前記規制部に押し付ける押付部と、前記交差方向において前記反射部材の他側で、前記一方向において前記規制部とずれた位置に配置されており、前記一方向及び前記交差方向に対して交差する他の交差方向で前記反射部材と接触して前記反射部材の前記他の交差方向の移動を規制する他の規制部と、を備え、前記他の規制部と接している前記反射部材の部分が前記交差方向の一側に移動するように前記反射部材を撓ませ、前記反射部材の保持状態の解除を許容することを特徴とする。
【０００８】
本発明の請求項３に係る発光装置は、請求項２に記載の発光装置において、前記他の規制部には、前記反射部材に接触している接触面が形成されており、前記接触面は、前記一方向から見て、前記交差方向に沿って延びていることを特徴とする。
【０００９】
本発明の請求項４に係る発光装置は、請求項１〜３の何れか１項に記載の発光装置において、前記反射部材は、前記一方向に延びる底板と、前記底板の一方の縁部に連結されている一方の側板と、前記底板の他方の縁部に連結されている他方の側板とを有し、一方の側板には、前記導光体を前記底板との間で挟んで、前記導光体を保持する突出部が一体的に形成されていることを特徴とする。
【００１０】
本発明の請求項５に係る発光装置は、請求項４に記載の発光装置において、前記突出部は、前記一方の側板の前記一方向の両端部に夫々一体的に形成されていることを特徴とする。
【００１１】
本発明の請求項６に係る画像読取装置は、前記導光体の端面に光を照射し、画像が形成された対象物に向けて前記導光体の表面から光を出射させる発光素子を備える請求項１〜５の何れか１項に記載の発光装置と、前記一方向に並べられた複数の受光素子と、画像が形成された対象物から反射された光を前記受光素子に案内する案内部材と、を備えることを特徴とする。
【００１２】
本発明の請求項７に係る画像形成装置は、請求項６に記載の画像読取装置と、前記画像読取装置で読み取られた画像情報に基づいて画像を形成する画像形成部と、を備えることを特徴とする。
【発明の効果】
【００１３】
本発明の請求項１の発光装置によれば、スクリュー等を取り外すための工具を用いずに反射部材及び導光体を筐体から取り外すことができる。
【００１４】
本発明の請求項２の発光装置によれば、筐体とは別の部品を用いることなく、保持状態における反射部材の交差方向及び他の交差方向の移動を規制することができる。
【００１５】
本発明の請求項３の発光装置によれば、接触面が一方向から見て、交差方向に対して傾斜している場合と比して、保持状態の反射部材における交差方向の位置がばらついても、反射部材の他の交差方向の位置がばらつくのを抑制することができる。
【００１６】
本発明の請求項４の発光装置によれば、導光体を反射部材に保持するために別の部品を用いる場合と比して、部品点数を少なくすることができる。
【００１７】
本発明の請求項５の発光装置によれば、突出部が一方向において一の側板の中央部だけに形成されている場合と比して、導光体が反射部材に対して傾くのを抑制することができる。
【００１８】
本発明の請求項６の画像読取装置によれば、スクリュー等を取り外すための工具を用いて反射部材及び導光体を筐体から取り外す場合と比して、発光装置の修理等に要する工数を少なくすることができる。
【００１９】
本発明の請求項７の画像形成装置によれば、スクリュー等を取り外すための工具を用いて反射部材及び導光体を筐体から取り外す場合と比して、画像読取装置の修理等に要する工数を少なくすることができる。
【図面の簡単な説明】
【００２０】
【図１】本発明の実施形態に係る画像読取装置及び発光装置を示した断面図である。
【図２】本発明の実施形態に係る画像読取装置及び発光装置を示した断面図である。
【図３】本発明の実施形態に係る画像読取装置及び発光装置を示した断面図である。
【図４】本発明の実施形態に係る画像読取装置及び発光装置を示した断面図である。
【図５】本発明の実施形態に係る画像読取装置の筐体を示した拡大斜視図である。
【図６】本発明の実施形態に係る画像読取装置の筐体を示した拡大斜視図である。
【図７】本発明の実施形態に係る画像読取装置の筐体を示した拡大斜視図である。
【図８】本発明の実施形態に係る画像読取装置の筐体を示した全体斜視図である。
【図９】本発明の実施形態に係る画像読取装置の反射部材を示した斜視図である。
【図１０】本発明の実施形態に係る画像読取装置を示した断面図である。
【図１１】本発明の実施形態に係る画像読取装置の導光体を示した斜視図である。
【図１２】本発明の実施形態に係る画像読取装置を示した斜視図である。
【図１３】本発明の実施形態に係る画像読取装置を示した分解斜視図である。
【図１４】本発明の実施形態に係る画像形成装置の画像読取部を示した断面図である。
【図１５】本発明の実施形態に係る画像形成装置の画像読取部を示した斜視図である。
【図１６】本発明の実施形態に係る画像形成装置の画像読取部を示した斜視図である。
【図１７】本発明の実施形態に係る画像形成装置の画像読取部を示した構成図である。
【図１８】本発明の実施形態に係る画像形成装置の画像読取部を示した構成図である。
【図１９】本発明の実施形態に係る画像形成装置を示した概略構成図である。
【発明を実施するための形態】
【００２１】
本発明の実施形態に係る発光装置、画像読取装置、及び画像形成装置の一例を図１〜図１９に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２２】
（画像形成装置の全体構成）
画像形成装置１０には、図１９に示されるように、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０と、原稿Ｇに形成された画像を読み取る画像読取部６０とが、この順で備えられている。
【００２３】
〔収容部〕
収容部１４には、画像形成装置１０の筐体１０Ａから装置奥行方向の手前側に引き出し可能な収容部材２６が備えられており、この収容部材２６にシート部材Ｐが積載されている。さらに、収容部１４には、収容部材２６に積載された最上位のシート部材Ｐを、搬送部１６を構成する搬送経路２８に送り出す送出ロール３０が備えられている。
【００２４】
〔搬送部〕
搬送部１６には、搬送経路２８に沿ってシート部材Ｐを搬送する複数の搬送ロール３２が備えられている。
【００２５】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。
【００２６】
各色の画像形成ユニット１８は、筐体１０Ａに対して夫々着脱可能とされている。そして、各色の画像形成ユニット１８には、像保持体３６と、像保持体３６の表面を帯電する帯電ロール３８と、帯電された像保持体３６に露光光を照射する露光装置４２とが備えられている。さらに、各色の画像形成ユニット１８には、前述した露光装置４２が帯電された像保持体３６を露光することで形成された静電潜像を現像して、トナー画像として可視化する現像装置４０が備えられている。
【００２７】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱・加圧してトナー画像をシート部材Ｐに定着する定着装置５０とが備えられている。
【００２８】
〔画像読取部〕
画像読取部６０は、図１７に示されるように、一枚の原稿Ｇの画像を読み取る際に原稿Ｇが載せられる第一透明板６２（所謂プラテンガラス）と、第一透明板６２の装置幅方向の一方（図中左方）に配置される第二透明板７２とを備えている。そして、第一透明板６２及び第二透明板７２は、画像読取部６０の筐体６０Ａの上部に嵌め込まれている。
【００２９】
この第一透明板６２及び第二透明板７２の上方には、第一透明板６２及び第二透明板７２を開放又は閉止する開閉カバー６６が配置されている。そして、開閉カバー６６の内部には、複数枚の原稿Ｇを開閉カバー６６内の搬送経路７０に沿って搬送して、第二透明板７２の上方の原稿読取位置Ｒを通過させる搬送装置６４（所謂ＡＤＦ装置）が備えられている。
【００３０】
また、筐体６０Ａの内部には、第一透明板６２に載せられた原稿Ｇの画像と、搬送装置６４によって原稿読取位置Ｒに搬送された原稿Ｇの画像とを読み取る画像読取装置１００が備えられている。さらに、画像読取部６０は、画像読取装置１００を装置幅方向に駆動する駆動装置７４を備えている。
【００３１】
駆動装置７４は、図１５、図１６に示されるように、装置幅方向（画像読取装置１００の移動方向）に延びているシャフト７６と、画像読取装置１００の筐体６０Ａの下面に取り付けられ、シャフト７６に摺動可能に支持される摺動部材７８とを備えている。
【００３２】
さらに、駆動装置７４は、モータ８０と、モータ８０から駆動力が伝達されて回転駆動する駆動プーリ８４と、従動回転する従動プーリ８６と、駆動プーリ８４及び従動プーリ８６に巻き掛けられている無端状の無端ベルト８２とを備えている。この駆動プーリ８４は、シャフト７６の一端に取り付けられ、従動プーリ８６は、シャフト７６の他端に取り付けられている。
【００３３】
摺動部材７８は、図１６に示されるように、筐体６０Ａの下面において装置奥行方向の中央側の部分に取り付けられている。摺動部材７８は、図１４に示されるように、上下方向に延びて、無端ベルト８２の一部が嵌め込まれているスリット７８Ａと、装置幅方向から見て半円形でシャフト７６と摺動する摺動面７８Ｂとが形成されている。
【００３４】
また、筐体６０Ａには、図１６に示されるように、シャフト７６の両端側の部分を下方から支持する一対の支持部９０が、筐体６０Ａと一体的に形成されている。なお、画像読取装置１００については、詳細を後述する。
【００３５】
（画像形成装置の作用）
画像形成装置１０では、次のようにして画像が形成される。
【００３６】
先ず、画像読取部６０が、原稿Ｇの画像を読みとる。具体的には、搬送装置６４によって搬送される原稿Ｇの画像を読み取る場合は、図１８に示されるように、画像読取装置１００は、モータ８０（図１６参照）の駆動力が無端ベルト８２を介して伝達され、装置幅方向の一方側の搬送読取位置に移動して停止する。そして、搬送読取位置に配置された画像読取装置１００が、搬送装置６４によって搬送される原稿Ｇの画像を読み取る。
【００３７】
これに対して、第一透明板６２に載せられた原稿Ｇの画像を読み取る場合は、図１７に示されるように、読取開始位置（図中実線）に配置されている画像読取装置１００は、原稿Ｇの画像を読み取りながら、第一透明板６２に沿って読取終了位置（図中二点鎖線）へ向けて装置幅方向に移動する。
【００３８】
続いて、画像読取部６０で読み取られた画像情報に基づいて露光装置４２は、帯電ロール３８によって帯電した各色の像保持体３６の表面に露光光を照射して静電潜像を形成する（図１９参照）。
【００３９】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像が、一次転写ロール４４によって転写ベルト２２に転写される。
【００４０】
そこで、収容部材２６から送出ロール３０によって搬送経路２８へ送り出されたシート部材Ｐが、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐに転写される。
【００４１】
シート部材Ｐに転写されたトナー画像は、定着装置５０によってシート部材Ｐに定着される。そして、トナー画像が定着したシート部材Ｐは、搬送ロール３２によって筐体１０Ａの外部へ排出される。
【００４２】
（要部構成）
次に、画像読取装置１００について説明する。
【００４３】
画像読取装置１００（図１２参照）は、既知のＣＩＳ（Ｃｏｎｔａｃｔ  Ｉｍａｇｅ  Ｓｅｎｓｏｒ）方式を用いて原稿Ｇ（対象物）に形成された画像を読み取るようになっている。そして、画像読取装置１００は、図１３に示されるように、受光基板１０２と、受光基板１０２と接続されている一対の配線ケーブル１０４と、配線ケーブル１０４に夫々接続されている一対の基板１０６とを備えている。さらに、画像読取装置１００は、基板１０６に実装されている発光素子１２８と、円柱状とされている一対の導光体１４０（ライトガイド）と、直方体状のロッドレンズアレイ１１２と、筐体１５０とを備えている。また、画像読取装置１００は、一対の導光体１４０を夫々囲んで保持している一対の反射部材１２０と、導光体１４０の表面に形成された反射層１８０（図１参照）と、筐体１５０の上面を覆うガラス板１１８とを備えている。ロッドレンズアレイ１１２は、案内部材の一例である。
【００４４】
そして、筐体１５０、導光体１４０、反射部材１２０、及び発光素子１２８を含んで、原稿Ｇに向けて光を照射する発光装置１１０が構成されている。
【００４５】
〔導光体１４０、反射層１８０〕
導光体１４０は、図１３に示されるように、一対設けられており、一対の導光体１４０は、装置幅方向に並んでいる。さらに、一対の導光体１４０は、一対の反射部材１２０に夫々保持された状態で、筐体１５０の後述する導光体収容部１５０Ａ（図１、図８参照）に収容されている。そして、一対の導光体１４０は、図１に示されるように、画像読取装置１００の中心Ｃ１を通り装置幅方向を向いた中心面Ｍ１に対して互いに対称の形状とされている。以下、装置幅方向の一方側（図１の左側）の導光体１４０について説明する。
【００４６】
導光体１４０は、図１、図１１に示されるように、装置奥行方向に延びている円柱状の本体部１４２と、本体部１４２の表面（外周面）から突出する突出部１４４とを有しており、透明な樹脂材料（例えば、アクリル樹脂）によって、一体的に形成されている。装置奥行方向は、一方向の一例である。
【００４７】
突出部１４４は、本体部１４２（導光体１４０）の長手方向の中央部において上方側で、かつ、装置幅方向の外側（中心面Ｍ１とは反対側）の部分から装置幅方向の外側に突出している。そして、突出部１４４の先端側の部分には、先端に向かうに従って下方に位置するように傾斜している傾斜面１４４Ａが形成されている。ここで導光体１４０の中央部とは、導光体１４０を長手方向に三等分した際の中央の部分（領域）を意味するが、好ましくは、導光体１４０を長手方向に五等分した際の中央の部分（領域）である。
【００４８】
また、導光体１４０の表面には、図１に示されるように、反射層１８０が形成されている。反射層１８０は、導光体１４０の表面において、ロッドレンズアレイ１１２の上方のガラス板１１８の部分を向いている側（図中矢印Ｂ方向）とは反対側に形成されている。そして、導光体１４０に入射した光の一部は、反射層１８０によって反射して、ロッドレンズアレイ１１２の上方に向けて出射するようになっている。
【００４９】
〔反射部材１２０〕
反射部材１２０は、図１３に示されるように、一対設けられており、一対の反射部材１２０は、装置幅方向に並んでいる。さらに、一対の反射部材１２０は、一対の導光体１４０を夫々保持した状態で、筐体１５０の後述する導光体収容部１５０Ａ（図１、図８参照）に収容されている。そして、一対の反射部材１２０は、図１に示されるように、中心面Ｍ１に対して互いに対称の形状とされている。以下、装置幅方向の一方側（図１の左側）の反射部材１２０について説明する。
【００５０】
反射部材１２０は、図１、図９に示されるように、装置奥行方向に延びており、白色の樹脂材料（例えば、ポリカーボネート樹脂）によって一体的に形成されている。反射部材１２０の断面は、装置幅方向の内側（中心面Ｍ１側）が開放されたＵ字状とされており、板面が装置幅方向を向いた底板１２２と、底板１２２の端部に接続されて板面が上下方向を向いた側板１２４、１２６とを有している。側板１２６は、側板１２４と比して下方に配置されており、側板１２６の先端は、側板１２４の先端と比して装置幅方向の内側に突出している。なお、反射部材１２０の装置奥行方向の長さと、導光体１４０の装置奥行方向の長さとは、同様となっている。側板１２６は、一方の側板の一例であって、側板１２４は、他方の側板の一例である。
【００５１】
そして、反射部材１２０の内部に導光体１４０が保持された状態で、底板１２２の板面に導光体１４０の表面が接触し、側板１２６の板面に導光体１４０の表面が接触するようになっている。さらに、この状態で、側板１２４の先端に導光体１４０の表面が接触するようになっている。反射部材１２０の内部に導光体１４０が保持された状態とは、反射部材１２０の姿勢を変化させるだけは、導光体１４０が反射部材１２０から脱落しない意味である。
【００５２】
また、側板１２６において装置奥行方向の両端部には、導光体１４０の表面に接触して、反射部材１２０の内部に導光体１４０を保持するための突出部１２６Ａが、上方側に突出して夫々一体的に形成されている（図２参照）。ここで側板１２６の両端部とは、側板１２６を長手方向に三等分した際の両端側の部分（領域）を意味するが、好ましくは、側板１２６を長手方向に五等分した際の両端側の部分（領域）である。
【００５３】
さらに、側板１２６において装置奥行方向の中央部には、側板１２６の先端が他の部分と比して凹んだ凹部１２６Ｂが形成されている（図９参照）。
【００５４】
また、反射部材１２０において装置奥行方向の中央部で、底板１２２と側板１２４とに跨る部分には、反射部材１２０の内部から外部へ貫通する貫通孔１２０Ａが形成されている。反射部材１２０の内部に導光体１４０が保持された状態で、図１に示されるように、導光体１４０の突出部１４４が貫通孔１２０Ａに挿入されるようになっている。そして、この状態で、突出部１４４の傾斜面１４４Ａが、反射部材１２０の外部に露出するようになっている。なお、貫通孔１２０Ａの装置奥行方向の長さは、突出部１４４の装置奥行方向の長さと比して、長くなっている。
【００５５】
この構成において、反射部材１２０は、導光体１４０の表面から出射して反射部材１２０に当たった光を、導光体１４０に向けて反射する。また、反射部材１２０が導光体１４０を保持した状態で、温度が変化すると、導光体１４０は、装置奥行方向に伸縮する。つまり、反射部材１２０の突出部１２６Ａは、導光体１４０の長手方向の伸縮を規制することなく、導光体１４０を底板１２２との間で挟んで、導光体１４０を反射部材１２０の内部に保持する。換言すれば、温度が変化によって、導光体１４０は、導光体１４０の径方向に変形しないようになっている。
【００５６】
〔ロッドレンズアレイ１１２〕
ロッドレンズアレイ１１２は、筐体１５０の後述するレンズ収容部１５０Ｂ（図１、図８参照）に収容されている。ロッドレンズアレイ１１２の外形は、図１３に示されるように、装置奥行方向に延びている直方体状とされている。そして、ロッドレンズアレイ１１２には、上下に延びているロッドレンズ（図示省略）が装置奥行方向に並んで複数形成されている。
【００５７】
〔ガラス板〕
ガラス板１１８は、筐体１５０の上面を覆うように配置されている（図１０参照）。ガラス板１１８は、図１３に示されるように、板面が上下方向を向いており、上方から見て、装置奥行方向に延びている矩形状とされている。
【００５８】
〔受光基板１０２〕
受光基板１０２は、図１に示されるように、筐体１５０に形成された支持板１５６の下面に接触して配置されている。そして、受光基板１０２は、板面が上下方向を向いており、受光基板１０２の上面には、装置奥行方向に並んでいる複数の受光素子１０８が実装されている（図１３参照）。
【００５９】
〔配線ケーブル１０４〕
配線ケーブル１０４は、一対設けられ、図１３に示されるように、受光基板１０２の装置奥行方向の両端部に基端が接続されている所謂フレキシブルフラットケーブル（Ｆｌｅｘｉｂｌｅ  Ｆｌａｔ  Ｃａｂｌｅ）である。一方の配線ケーブル１０４の基端は、受光基板１０２の装置奥行方向の奥側（図中右側）の端部と接続されており、他方の配線ケーブル１０４の基端は、受光基板１０２の装置奥行方向の手前側（図中左側）の端部と接続されている。
【００６０】
〔基板１０６、発光素子１２８〕
基板１０６は、一対設けられ、図１３に示されるように、配線ケーブル１０４の先端に接続されている。そして、一対の基板１０６は、板面が装置奥行方向を向いており、装置奥行方向に互いに離間している。
【００６１】
発光素子１２８は、基板１０６に夫々２個ずつ実装されている。具体的には、２個の発光素子１２８は、一方の基板１０６において他方の基板１０６と対向する面に実装されており、装置幅方向に並んでいる。
【００６２】
〔筐体１５０〕
筐体１５０は、図８、図１３に示されるように、装置奥行方向に延びている。具体的には、筐体１５０は、板面が装置奥行方向を向き、装置奥行方向に離間した一対の側板１５２と、一対の側板の両端部に連結され、板面が装置幅方向を向き、装置幅方向に離間した一対の側板１５４とを有している。さらに、筐体１５０は、一対の側板１５２、及び一対の側板１５４に囲まれ、板面が上下方向を向いた支持板１５６を有している。また、この支持板１５６は、一対の側板１５２及び一対の側板１５４に囲まれた空間を上下方向に分割するように配置されている。
【００６３】
そして、筐体１５０の内部には、反射部材１２０に保持された導光体１４０が夫々収容される一対の導光体収容部１５０Ａと、ロッドレンズアレイ１１２が収容されるレンズ収容部１５０Ｂとが形成されている。さらに、筐体１５０の内部には、基板１０６が夫々収容される一対の基板収容部１５０Ｃが、装置奥行方向から導光体収容部１５０Ａを挟むように形成されている。
【００６４】
−導光体収容部１５０Ａ−
導光体収容部１５０Ａは、図２、図８に示されるように、支持板１５６に対して上方側で、装置幅方向に並んで一対形成さており、装置奥行方向に延びている。一対の導光体収容部１５０Ａは、中心面Ｍ１に対して互いに対称の形状とされている。さらに、夫々の導光体収容部１５０Ａは、画像読取装置１００の中心Ｃ１を通り装置奥行方向を向いた中心面Ｍ２（図８参照）に対して対称の形状とされている。以下、装置幅方向の一方側（図２の左側）の導光体収容部１５０Ａについて説明する。
【００６５】
導光体収容部１５０Ａにおいて装置幅方向の内側の部分には、図２、図６に示されるように、支持板１５６から立ち上り、レンズ収容部１５０Ｂとの間を仕切る仕切板１５８が形成されている。仕切板１５８は、板面が装置幅方向を向き、装置幅方向から見て、装置奥行方向に延びている矩形状とされている。そして、仕切板１５８の装置奥行方向の端部は、側板１５２と装置奥行方向で離間している。なお、図２に示されるように、装置幅方向の一方側の導光体収容部１５０Ａとレンズ収容部１５０Ｂとを仕切る仕切板１５８と、装置幅方向の他方側の導光体収容部１５０Ａとレンズ収容部１５０Ｂとを仕切る仕切板１５８とは、装置幅方向に離間している。
【００６６】
そして、仕切板１５８において装置奥行方向の中央部で、装置幅方向の外側を向いた面には、導光体収容部１５０Ａに収容された導光体１４０の表面と接触する突出部１５８Ａが形成されている（図１、図５参照）。
【００６７】
さらに、図１、図５に示されるように、装置幅方向において、突出部１５８Ａと対向する位置には、導光体１４０を突出部１５８Ａに押し付ける押付部１６０が、支持板１５６から立ち上がっている。押付部１６０は、装置奥行方向から見てＬ字状で、上下方向に延びている基部１６０Ａと、基部１６０Ａの先端部から屈曲して装置幅方向の内側に延びている屈曲部１６０Ｂとを有している。
【００６８】
また、この屈曲部１６０Ｂには、導光体１４０の突出部１４４に形成された傾斜面１４４Ａと面で接触する接触面１６０Ｃが形成されている。そして、押付部１６０の接触面１６０Ｃが、導光体１４０の突出部１４４の傾斜面１４４Ａと接触した状態で、押付部１６０の基部１６０Ａが弾性変形するようになっている。
【００６９】
この構成において、押付部１６０は、装置幅方向に、導光体１４０を筐体１５０の突出部１５８Ａに押し付ける。さらに、押付部１６０は、装置上下方向に、導光体１４０を反射部材１２０の側板１２６を介して筐体１５０の支持板１５６に押し付ける。このように、筐体１５０の押付部１６０は、導光体１４０を装置奥行方向と交差する装置幅方向（交差方向）から挟んで、導光体１４０を一箇所で筐体１５０に保持している。具体的には、筐体１５０の押付部１６０は、導光体１４０の装置奥行方向の中央部の一部分を挟んで導光体１４０を筐体１５０に保持している。このように、筐体１５０とは別の部品を用いることなく、導光体１５０が筐体に保持されている。
【００７０】
また、図６に示されるように、仕切板１５８において、突出部１５８Ａと仕切板１５８の長手方向の端部との間には、反射部材１２０の側板１２６の先端と接触する突出部１５８Ｂが装置奥行方向に間隔を空けて形成されている（図３参照）。突出部１５８Ｂは、規制部の一例である。
【００７１】
具体的には、突出部１５８Ｂは、仕切板１５８の装置幅方向の外側を向いた面から突出している。そして、最も突出部１５８Ａ側に配置された突出部１５８Ｂと突出部１５８Ａとの間隔、最も仕切板１５８の端部側に配置された突出部１５８Ｂと仕切板１５８の端部との間隔、及び突出部１５８Ｂ同士の間隔が同様になるように、夫々の突出部１５８Ｂは配置されている。
【００７２】
また、図６に示されるように、装置幅方向において、突出部１５８Ｂとずれた位置には、反射部材１２０を突出部１５８Ｂに押し付ける押付部１６２が、装置奥行方向に間隔を空けて複数形成されている。具体的には、押付部１６２は、支持板１５６から立ち上がっており、図２に示されるように、反射部材１２０の底板１２２に装置幅方向の外側から接触した状態で、弾性変形している。
【００７３】
また、図６に示されるように、装置幅方向において、突出部１５８Ｂとずれた位置で、押付部１６２と装置幅方向に並ぶように、反射部材１２０を保持する保持部１６６が、装置奥行方向に間隔を空けて複数形成されている。具体的には、保持部１６６は、支持板１５６から立ち上がっている。保持部１６６は、他の規制部の一例である。
【００７４】
保持部１６６は、図４に示されるように、装置奥行方向から見てＬ字状で、上下方向に延びている基部１６６Ａと、基部１６６Ａの先端部から屈曲して装置幅方向の内側に延びている屈曲部１６６Ｂとを有している。屈曲部１６６Ｂには、上方側から側板１２４に接触する接触面１６６Ｃが形成されている。そして、装置奥行方向から見て、この接触面１６６Ｃは装置幅方向（交差方向）に沿って延びている。
【００７５】
なお、装置幅方向における接触面１６６Ｃと側板１２４との接触代（図中Ｌ１）については、取り付け位置ばらつき、及び部品の寸法ばらつきが生じた場合でも接触している長さであればよく、本実施形態では、一例として、０．３〔ｍｍ〕とされている。
【００７６】
この構成において、押付部１６２は、装置幅方向に、反射部材１２０を突出部１５８Ｂに押し付ける（図２、図３参照）。さらに、保持部１６６は、装置上方向（他の交差方向）に、反射部材１２０の側板１２４と接触して、支持板１５６の上面に載せられた反射部材１２０の上方への移動を規制する。このようにして、筐体１５０は、反射部材１２０の収容位置で、反射部材１２０を保持している。換言すれば、押付部１６２と突出部１５８Ｂとで、反射部材１２０の装置幅方向の移動を規制し、保持部１６６と支持板１５６の上面とで、反射部材１２０の装置上下方向の移動を規制している。このようにして、筐体１５０は、反射部材１２０を保持している。
【００７７】
そして、押付部１６２、突出部１５８Ｂ、及び保持部１６６を含んで、反射部材１２０を筐体１５０に保持する保持手段１７０が構成されている。
【００７８】
−レンズ収容部１５０Ｂ−
レンズ収容部１５０Ｂは、図１、図８に示されるように、装置幅方向において、一対の導光体収容部１５０Ａの間に形成されており、装置奥行方向に延びている。具体的には、レンズ収容部１５０Ｂは、一対の仕切板１５８の間に形成されている。そして、レンズ収容部１５０Ｂでは、支持板１５６が上方上下方向に貫通している。また、装置奥行方向において、レンズ収容部１５０Ｂの両端部は、側板１５２と装置奥行方向で離間している。
【００７９】
この構成において、筐体１５０は、レンズ収容部１５０Ｂに、ロッドレンズアレイ１１２を収容しており、ロッドレンズアレイ１１２は、図示せぬ固定部材によってレンズ収容部１５０Ｂに固定されている。
【００８０】
−基板収容部−
基板収容部１５０Ｃは、図１３に示されるように、導光体収容部１５０Ａに対して、装置奥行方向の奥側、及び手前側に一対形成されている。具体的には、基板収容部１５０Ｃは、図１０に示されるように、筐体１５０の装置奥行方向の両端の側板１５２と、導光体収容部１５０Ａとの間に形成されており、基板収容部１５０Ｃでは、支持板１５６の一部が上下方向に貫通している。
【００８１】
この構成において、筐体１５０は、基板収容部１５０Ｃに、発光素子１２８が実装された基板１０６を収容している。この状態で、発光素子１２８は、導光体１４０端面１４０Ａと対向しており、導光体１４０の端面１４０Ａに接触している。つまり、導光体１４０の両方の端面１４０Ａに、発光素子１２８が夫々接触している。
【００８２】
−その他−
筐体１５０の上部には、図１、図１０に示されるように、ガラス板１１８の縁部を下方から支持している段部１５３が形成されている。この構成において、ガラス板１１８は、ガラス板１１８の縁部が筐体１５０の段部１５３と接触した状態で、図示せぬ固定手段で筐体１５０に固定され、筐体１５０の上面を覆っている。
【００８３】
また、筐体１５０の支持板１５６の下面には、図１に示されるように、中心面Ｍ１を挟んで一対の突出部１６８が下方へ突出して形成されている。この一対の突出部１６８は、装置奥行方向に延びており、一対の突出部１６８の両端部は、装置奥行方向で、筐体１５０の側板１５２（図１３参照）と離間している。この構成において、受光基板１０２は、一対の突出部１６８の間で、支持板１５６の下面に接触した状態で、図示せぬ固定手段に筐体１５０に固定されている。そして、この状態で、受光基板１０２に実装されている受光素子１０８は、上下方向でロッドレンズアレイ１１２と対向している。
【００８４】
（作用）
次に、画像読取装置１００の作用を説明する。
【００８５】
発光装置１１０の発光素子１２８は、導光体１４０の端面１４０Ａに光を照射する（図１０参照）。これにより、端面１４０Ａから導光体１４０に入射した光は、導光体１４０の内部を導光体１４０の長手方向に進行する。そして、導光体１４０は、図１に示されるように、ロッドレンズアレイ１１２の上方に向けて（図中矢印Ｂ方向）光を出射する。
【００８６】
具体的には、端面１４０Ａから導光体１４０に入射した光の一部は、反射層１８０によって反射して、ロッドレンズアレイ１１２の上方に向けて出射される。また、端面１４０Ａから導光体１４０に入射した光の他の一部は、導光体１４０の表面から出射して反射部材１２０に当たって、反射部材１２０によって反射して、再度、導光体１４０の表面から導光体１４０に入射する。そして、導光体１４０の表面から導光体１４０に入射した光は、ロッドレンズアレイ１１２の上方に向けて出射される。さらに、端面１４０Ａから導光体１４０に入射した光の他の一部は、ロッドレンズアレイ１１２の上方に向けて、直接出射される。
【００８７】
そして、ロッドレンズアレイ１１２は、導光体１４０から出射して原稿Ｇ（画像が形成されている対象物）に照射され、原稿Ｇから反射した反射光を受光素子１０８に案内する（集光する）。さらに、受光素子１０８が、原稿Ｇから反射した反射光を、受光して電気信号に変換する。
【００８８】
次に、市場から回収された画像読取装置１００をリサイクルする場合に、経年劣化してしまう反射部材１２０及び導光体１４０を交換する作業について説明する。
【００８９】
先ず、筐体１５０から反射部材１２０及び導光体１４０を取り外す作業について説明する。ここでは、装置幅方向の一方側（図１の左側）の反射部材１２０及び導光体１４０を筐体１５０から取り外す作業について説明する。なお、説明の便宜上、保持部１６６については、図７に示されるように、装置奥行方向の最も手前側に配置されている保持部１６６から、装置奥行方向の最も奥側に配置されている保持部１６６に向かって、順に保持部１６６−１、１６６−２、１６６−３・・・と称する。
【００９０】
先ず、作業者は、筐体１５０からガラス板１１８を取り外し、筐体１５０の内部を開放する。そして、作業者は、図７に示されるように、装置奥行方向の最も手前側に配置されている保持部１６６−１に接触している反射部材１２０の部分を装置幅方向の内側に押し付ける（図中矢印Ｐ１）。これにより、反射部材１２０を装置幅方向の内側に撓ませて、反射部材１２０のこの部分と保持部１６６−１とを装置幅方向で離間させる。このようにして、反射部材１２０の保持状態の解除が許容される。さらに、作業者は、反射部材１２０を上方側に撓ませる。
【００９１】
次に、作業者は、保持部１６６−１の隣の保持部１６６−２に接触している反射部材１２０の部分を装置幅方向の内側に押し付ける（図中矢印Ｐ２）。これにより、反射部材１２０を装置幅方向の内側に撓ませて、反射部材１２０のこの部分と保持部１６６−２とを装置幅方向で離間させる。このようにして、反射部材１２０の保持状態の解除が許容される。さらに、作業者は、反射部材１２０を上方側に撓ませる。
【００９２】
次に、作業者は、保持部１６６−２の隣の保持部１６６−３に接触している反射部材１２０の部分を装置幅方向の内側に押し付ける（図中矢印Ｐ３）。これにより、反射部材１２０を装置幅方向の内側に撓ませて、反射部材１２０のこの部分と保持部１６６−３とを装置幅方向で離間させる。このようにして、反射部材１２０の保持状態の解除が許容される。さらに、作業者は、反射部材１２０を上方側に撓ませる。
【００９３】
前述した作業を、装置奥行方向の奥側まで行うことで、導光体１４０を保持している反射部材１２０を筐体１５０から取り外す。なお、図１に示す押付部１６０についても、接触面１６０Ｃが、導光体１４０の突出部１４４の傾斜面１４４Ａと接触しているが、押付部１６０の接触面１６０Ｃは、先端に向かうに従って上方に位置するように傾斜している。そこで、導光体１４０が上方に移動すると、押付部１６０の基部１６０Ａが撓んで、接触面１６０Ｃが装置幅方向の外側に移動する。このため、押付部１６０が、反射部材１２０の保持状態を解除する動作を、阻害することはない。
【００９４】
次に、作業者は、図９に示す反射部材１２０に保持されている導光体１４０を把持して、導光体１４０を反射部材１２０に対して装置幅方向の内側に移動させる。これにより、反射部材１２０の突出部１２６Ａが装置幅方向の内側へ押されることで、反射部材１２０の側板１２６の一部が撓み、突出部１２６Ａが下方へ移動する。そして、反射部材１２０による導光体１４０の保持状態が解除され、導光体１４０が反射部材から取り外される。
【００９５】
さらに、導光体１４０及び反射部材１２０を筐体１５０に取り付ける場合には、反射部材１２０に導光体１４０を保持させる。そして、作業者は、図７に示す保持部１６６の屈曲部１６６Ｂが装置幅方向の外側に移動するように、保持部１６６の基部１６６Ａを撓ませながら、導光体１４０を保持した反射部材１２０を、筐体１５０に取り付ける。このように、スクリュー等を取り外すための工具を用いることなく、反射部材１２０が、筐体１５０に取り付けられる。
【００９６】
（まとめ）
以上説明したように、導光体１４０を保持した反射部材１２０を撓ませることで、反射部材１２０が、スクリュー等を取り外すための工具を用いず筐体１５０から取り外される。このように、導光体１４０と反射部材１２０とが、一緒に（セットで）筐体１５０から取り外される。
【００９７】
また、押付部１６２と突出部１５８Ｂとで、反射部材１２０の装置幅方向の移動を規制し、保持部１６６と支持板１５６の上面とで、反射部材１２０の装置上下方向の移動を規制している。このようにして、収容位置に配置された反射部材１２０の装置幅方向及び装置上下方向の位置が規制される。
【００９８】
また、保持部１６６の接触面１６６Ｃは、下方を向いて装置幅方向に沿って延びている。また、接触面１６６Ｃと接触している側板１２４の板面は、上方を向いている。このため、接触面が装置奥行方向から見て、装置幅方向に対して傾斜している場合と比して、筐体１５０に取り付けられた状態の反射部材１２０の装置幅方向の位置がばらついても、反射部材１２０の上下方向の位置がばらつくのが抑制される。
【００９９】
また、反射部材１２０の側板１２６には、導光体１４０を底板１２２との間で挟んでいる突出部１２６Ａが一体的に形成されている。この突出部１２６Ａによって、反射部材１２０は、導光体１４０を保持している。これにより、導光体１４０を反射部材１２０に保持させるために別の部品を用いる場合と比して、突出部１２６Ａを一体的に形成させることで部品点数が少なくなる。
【０１００】
また、突出部１２６Ａは、装置奥行方向において側板１２６の両端部に一体的に形成されている。このため、突出部が装置奥行方向において側板１２６の中央部だけに形成されている場合と比して、導光体１４０が反射部材１２０に対して傾くのが抑制される。
【０１０１】
また、画像読取装置１００においては、スクリュー等を取り外すための工具を用いて反射部材及び導光体を筐体から取り外す場合と比して、発光装置１１０の修理等に要する工数が少なくなる。
【０１０２】
また、画像形成装置１０においては、スクリュー等を取り外すための工具を用いて反射部材及び導光体を筐体から取り外す場合と比して、画像読取装置１００の修理等に要する工数が少なくなる。
【０１０３】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、押付部１６２は、突出部１５８Ｂに対して装置奥行方向でずれた位置に配置されたが、押付部１６２と、突出部１５８Ｂとを装置奥行方向で同じ位置に配置してもよい。このように、同じ位置で配置することで、押付部１６２の押付力によって、反射部材１２０が撓むのが抑制される。
【０１０４】
また、上記実施形態では、特に説明しなかったが、突出部１５８Ｂ、押付部１６０  、保持部１６６の数は例示であって、他の数であってもよい。
【０１０５】
また、上記実施形態では、特に説明しなかったが、導光体１４０に接触して導光体１４０の姿勢を矯正する矯正部を筐体に形成してもよい。
【０１０６】
また、上記実施形態では、四色の感光体ドラムから中間転写に画像を転写する画像形成装置であったが、例えば、一色又は複数色の像保持体３６からシート部材Ｐに画像を直接転写する画像形成装置であてもよい。
【符号の説明】
【０１０７】
１０     画像形成装置
２０     画像形成部
１００   画像読取装置
１０８   受光素子
１１０   発光装置
１１２   ロッドレンズアレイ（案内部材の一例）
１２０   反射部材
１２２   底板
１２４   側板（他方の側板）
１２６   側板（一方の側板）
１２６Ａ 突出部
１２８   発光素子
１４０   導光体
１４０Ａ 端面
１５０   筐体
１５８Ｂ 突出部（規制部の一例）
１６０   押付部
１６０Ｃ 接触面
１６６   保持部（他の規制部の一例）
１７０   保持手段
【図１】
2019117973.tif 000003
【図２】
2019117973.tif 000004
【図３】
2019117973.tif 000005
【図４】
2019117973.tif 000006
【図５】
2019117973.tif 000007
【図６】
2019117973.tif 000008
【図７】
2019117973.tif 000009
【図８】
2019117973.tif 000010
【図９】
2019117973.tif 000011
【図１０】
2019117973.tif 000012
【図１１】
2019117973.tif 000013
【図１２】
2019117973.tif 000014
【図１３】
2019117973.tif 000015
【図１４】
2019117973.tif 000016
【図１５】
2019117973.tif 000017
【図１６】
2019117973.tif 000018
【図１７】
2019117973.tif 000019
【図１８】
2019117973.tif 000020
【図１９】
2019117973.tif 000021